(57)【要約】      （修正有）【課題】給水装置の容器受部に大形の容器載置具を装着することにより、大径の容器や急須等を容易に、かつ安全に給水することができる給水装置の容器載置具を提供する。【解決手段】給水栓１４の下方には、コップ等の容器２０を載置させることができる容器受部１１を配し、前記容器受部１１は凹部１７と凸部１８とからなり、凸部１８は容器２０の底部を保持する。容器載置具１は、前記容器受部１１の上部に装着されるもので、容器受部１１よりも大形状に形成された載置本体３と、載置本体３の裏面に設置された保持具２とからなる。載置本体３は平板状を呈しており、合成樹脂、金属、木製等の材質で形成することができる。また前記載置本体３は前方が湾曲状に形成されている。また特に、載置本体３は、前記容器受部１１より前後方向において幅広状に形成されている。そのことにより、容器受部１１上に装着した際、大径状のカップや急須等の容器２０でも容易に載置させることができる。【選択図】図３
0003178023.tif 000002
【実用新案登録請求の範囲】
【請求項１】
給水装置の容器受部に装着される容器載置具であって、該容器載置具は、容器受部に着脱自在に装着する保持具と、該保持具に設置された、少なくとも容器受部よりも大形状に形成された載置本体とを備えることを特徴とする給水装置の容器載置具。
【請求項２】
前記保持具は、容器受部の凸部に装着される請求項１記載の給水装置の容器載置具。
【請求項３】
前記保持具は、載置本体に少なくとも１箇所以上設置されている請求項２記載の給水装置の容器載置具。
【請求項４】
前記保持具は、容器受部の凹部に装着される請求項１記載の給水装置の容器載置具。
【請求項５】
前記保持具は、載置本体に少なくとも１箇所以上設置されている請求項４記載の給水装置の容器載置具。
【請求項６】
前記載置本体に開孔部を穿孔した請求項１乃至５のうち何れか１項に記載の給水装置の容器載置具。
【請求項７】
前記載置本体の肉厚状の周縁部を形成した請求項１乃至６のうち何れか１項に記載の給水装置の容器載置具。
【考案の詳細な説明】
【技術分野】
【０００１】  本考案は、給水装置の容器受部に装着される容器載置具に関する。
【背景技術】
【０００２】  家庭やオフィス、また公共施設や工場等には給水装置が設置されている。一般的な給水装置は、本体の上部に貯水タンクが具備されており、給水栓を操作することで冷水や温水を注出することができる。【０００３】  また、それらの給水装置に関する従来技術として、水の宅配ボトルに広告を付し、水の宅配分野でも広告宣伝を可能とする給水装置がある（例えば特許文献１参照）。
上掲特許文献１の給水装置は、給水装置の外周に着脱自在に外嵌まりする下部を四角環に形成した取付け具を介して広告を付するようにしたことを特徴とするものである。
【先行技術文献】
【特許文献】
【０００４】
【特許文献１】特開２００８−３０８２３４号公報
【考案の概要】
【考案が解決しようとする課題】
【０００５】  しかしながら、上掲特許文献１の給水装置は、コップ等を載置する容器受部の奥行きが狭く、コーヒーカップや大径の容器、また急須等を置くことができなかった。そのため、大径の容器等に給水する際は、片手で容器を保持した状態で他の手で給水栓を操作しなければならないという手間があった。また、熱湯を給湯する際、火傷等の危険を伴った。【０００６】  そこで本考案は上記の点に鑑み、給水装置の容器受部に大形の容器載置具を装着することにより、大径の容器や急須等に容易に、かつ安全に給水することができる給水装置の容器載置具を提供することにある。
【解決を解決するための手段】
【０００７】  上記課題を解決するために本考案の給水装置の容器載置具は、給水装置の容器受部に装着される容器載置具であって、該容器載置具は、容器受部に着脱自在に装着する保持具と、該保持具に設置された、少なくとも容器受部よりも大形状に形成された載置本体とを備えることを特徴とする。
【０００８】  また、前記保持具は容器受部の凸部に装着される。
【０００９】  また、前記保持具は載置本体に少なくとも１箇所以上設置されている。
【００１０】  また、前記保持具は容器受部の凹部に装着される。
【００１１】  また、前記保持具は載置本体に少なくとも１箇所以上設置されている。
【００１２】  また、前記載置本体に開孔部を穿孔した。
【００１３】  さらに、前記載置本体の肉厚状の周縁部を形成した。
【考案の効果】
【００１４】  容器載置具は、容器受部に着脱自在に装着する保持具と、該保持具に設置された、少なくとも容器受部よりも大形状に形成された載置本体とを備えることにより、大径の容器や急須等を容易に、かつ安全に給水することができる。
【００１５】  また保持具は、容器受部の凸部または凹部に着脱自在に装着できるため、さまざまな機種の給水装置に設置することができる。
【図面の簡単な説明】
【００１６】
【図１】（ａ）は本考案の給水装置の容器載置具の表面側、（ｂ）は容器載置具の裏面側である。
【図２】給水装置に容器載置具を設置する状態の斜視図である。
【図３】容器載置具の使用状態断面図である。
【図４】他の好適例、本考案の容器載置具の裏面側を表した斜視図である。
【図５】前記容器載置具の使用状態断面図である。
【図６】他の好適例、本考案の容器載置具の裏面側を表した斜視図である。
【図７】前記容器載置具の使用状態断面図である。
【図８】他の好適例、本考案の容器載置具の使用状態断面図である。
【図９】他の好適例、本考案の容器載置具の使用状態断面図である。
【考案を実施するための形態】
【００１７】  本考案の給水装置の容器載置具は、容器受部に大形の容器載置具を装着することにより、大径の容器や急須等を容易に、かつ安全に給水できることを特徴とするものである。
以下、本考案の給水装置の容器載置具における実施の形態を図面に基づいて説明する。
【００１８】  図示する容器載置具１は、給水装置１０の容器受部１１に装着されるものであり、前記容器載置具１は、容器受部１１に着脱自在に装着する保持具２と、該保持具２に設置された、少なくとも容器受部１１よりも大形状に形成された載置本体３とを備えることを特徴とする。
【００１９】  給水装置１０は一般的に市販されているもので、家庭やオフィス、また公共施設や工場等に設置される。前記給水装置１０は、給水装置本体１３と、給水装置本体１３の上部に具備された貯水タンク１２と、本体部１３の前面に設置された給水栓１４と、給水栓１４の下部に設置された形成された容器受部１１とからなる。
【００２０】  前記給水栓１４は、ワンタッチで容器に冷水や温水を供給するものである。前記給水栓１４は、上部に配置されたノズル１５を操作することで、注出口１６から冷水や温水を注出させることができる。
【００２１】  また前記給水栓１４の下方には、コップ等の容器２０を載置させることができる容器受部１１が具備されている。前記容器受部１１は凹部１７と凸部１８とからなり、凸部１８は容器２０の底部を保持し、凹部１７は給水栓１４からこぼれた液体を溜めておくことができる。
【００２２】  本考案の容器載置具１は、前記容器受部１１の上部に装着されるもので、容器受部１１よりも大形状に形成された載置本体３と、載置本体３の裏面に設置された保持具２とからなる。
【００２３】  載置本体３は平板状を呈しており、合成樹脂、金属、木製等の材質で形成することができる。また前記載置本体３は前方が湾曲状に形成されている。また特に、載置本体３は、前記容器受部１１より前後方向において幅広状に形成されている。そのことにより、図３に示すように、容器受部１１上に装着した際、大径状のカップや急須等の容器２０でも容易に載置させることができる。
【００２４】  また、前記載置本体３には、複数の開孔部４が穿孔されている。開孔部４は、給水栓１４からこぼれた液体を、前記容器受部１１の凹部１７内に滴下させることができる。なお、前記開孔部４の大きさや穿孔する数量等は特に限定されるものではない。
【００２５】  また、前記載置本体３の周縁には、肉厚状の周縁部５が形成されている。周縁部５を設けることで、載置本体３の上に容器を載置した際、載置本体３から容器２０が落下することを軽減できる。
【００２６】  また特に、前記載置本体３の裏面には、容器受部１１に装着される保持具２が設置されている。前記保持具２はステンレス等の金属もしくは樹脂等で形成することが好ましく、一例として、図１の（ｂ）に示すように、容器受部１１の凸部１８を挟持し装着できる状態に形成されている。また前記保持具２は、凸部１８が複数形成されている容器受部１１であれば、保持具２を複数形成することが望ましい。
【００２７】  また前記保持具２は、図４および図５に示すように、容器受部１１の凹部１７に装着される形状であってもよい。また前記保持具２は、図６および図７に示すように、凹部１７が複数形成されている容器受部１１であれば、保持具２を複数形成することが望ましい。
【００２８】  また前記保持具２は、図８に示すように、容器受部１１の中央部に凸部が形成されていない形状のものであっても、先方部分を保持する保持部２を設置することにより、容易に容器受部１１を装着することができる。また前記保持具２は、図９に示すように、前後方向を保持する保持部２を設置することにより、容易に容器受部１１を装着することもできる。さらに上面にスノコ状部を具備する容器受部１１でも、その形状に沿った保持具を備えることで、さまざまな給水装置１０に適応できることはいうまでもない。
【００２９】  なお、給水装置１０の種類により容器受部１１の構造や形状が異なるが、本考案の容器載置具１においては、前記保持具２の形状や構造等は、さまざまな容器受部に装着できるものであれば如何なる構造であってもよい。
【００３０】  また載置本体３は、大径のカップやグラス、また急須等の容器が載置できるものであれば、形状や素材、また大きさ等は特に限定されるものではない。
【００３１】  次に、本考案における給水装置の容器載置具の使用方法を図３に基づいて説明する。
先ず、容器受部１１の凸部１８に、載置本体３の保持具２を嵌入させる。次に、載置本体３上に容器２０を載置する。この状態で通常のように給水栓１４のノズル１５を操作し、注出口１６から冷水もしくは温水を注出する。この際、容器２０は載置本体３上に載置されているため、片手で注出操作を行うことができる。
【００３２】  また、容器受部１１の形状によっては、凹部１７に嵌入できる保持具２を具備する載置本体３を使用することができる。また、前記凸部１８や凹部１７が複数形成されている容器受部１１においては、それらの機種に応じた保持具２を具備する容器載置具１を使用することが好ましい。
【符号の説明】
【００３３】１    容器載置具
２    保持具
３    載置本体
４    開孔部
５    周縁部
１０  給水装置
１１  容器受部
１２  給水装置本体
１３  貯水タンク
１４  給水栓
１５  レバー
１６  注出口
１７  凹部
１８  凸部
２０  容器
【図１】
0003178023.tif 000003
【図２】
0003178023.tif 000004
【図３】
0003178023.tif 000005
【図４】
0003178023.tif 000006
【図５】
0003178023.tif 000007
【図６】
0003178023.tif 000008
【図７】
0003178023.tif 000009
【図８】
0003178023.tif 000010
【図９】
0003178023.tif 000011